(57)【要約】【課題】クリーニングカードを使用したヘッドクリーニングにおいて、ヘッドクリーニングを実施する者の負担にならず、ヘッドクリーニングの作業性を向上することができる発券機を提供する。【解決手段】発券機ユニット１０は、ユニット内に、券類製造用のロール紙５１が配されてロール紙を供給可能な用紙収納部１１と、券類の表面に情報を書き込む書込部２１と、券類が搬送される搬送路１５と、搬送路上で券類を搬送する搬送手段１３と、搬送路上でロール紙を切断して所定の長さ寸法を形成する切断部２３と、書込部をクリーニングする際に搬送路上に位置していたロール紙５１ａをロール紙５１側へ案内するように搬送手段を制御する制御部と、を備え、少なくとも書込部をクリーニングするクリーニングカードＣを搬送路に供給するためのクリーニングカード出入口１７が、発券機ユニットの背面１０ａ側に形成されている。【選択図】図３
2009237908.tif 000002
【特許請求の範囲】
【請求項１】
本体と、該本体からユニットの略全体を露出してメンテナンス作業可能な発券機ユニットと、を具備し、
前記発券機ユニットは、該ユニット内に、券類製造用のロール紙が配されて該ロール紙を供給可能な用紙収納部と、
前記券類の表面に情報を書き込む書込部と、
前記券類が搬送される搬送路と、
該搬送路上で前記券類を搬送する搬送手段と、
前記搬送路上で前記ロール紙を切断して所定の長さ寸法を形成する切断部と、
前記書込部をクリーニングする際に前記搬送路上に位置していた前記ロール紙をロール紙本体側へ案内するように前記搬送手段を制御する制御部と、を備え、
少なくとも前記書込部をクリーニングするクリーニングカードを前記搬送路に供給するためのクリーニングカード出入口が、前記発券機ユニットの背面側に形成されていることを特徴とする発券機。
【請求項２】
前記クリーニングカード出入口に、前記クリーニングカードを保持可能なクリーニングカード保持部が設けられていることを特徴とする請求項１に記載の発券機。
【請求項３】
前記制御部は、前記クリーニングカード保持部から前記搬送路へ案内された前記クリーニングカードを前記書込部に搬送し、該書込部のクリーニング完了後、前記クリーニングカードを前記クリーニングカード保持部へ戻すとともに、前記ロール紙を前記搬送路上に案内するように前記搬送手段を制御可能に構成されていることを特徴とする請求項１または２に記載の発券機。
【請求項４】
前記発券機ユニットにクリーニングを開始するクリーニング開始手段を備え、
前記制御部は、前記クリーニング開始手段からの指示により前記搬送手段を駆動させて前記クリーニングカードを搬送し、少なくとも前記書込部をクリーニング可能に構成されていることを特徴とする請求項１〜３のいずれかに記載の発券機。
【請求項５】
前記制御部は、前記券類を所定枚数発券する毎、または所定時間経過毎に前記搬送手段を駆動させて前記クリーニングカードを搬送し、少なくとも前記書込部をクリーニング可能に構成されていることを特徴とする請求項１〜３のいずれかに記載の発券機。
【発明の詳細な説明】
【技術分野】
【０００１】
本発明は、発券機に関するものである。
【背景技術】
【０００２】
発券機は、乗車券、食券、入場券などを提供する装置である。このような発券機は、駅、食堂、遊園地、公共施設などの様々な場所で用いられている（例えば、特許文献１参照）。発券機は、大別すると、利用者がチケットを購入する際にチケット種別を指定するための操作ユニットと、各種料金の投入・精算を行う精算ユニットと、実際のチケットを発券する発券機ユニットと、を備えて構成されている。また、各種チケットは、発券機ユニット内に備え付けられたロール紙を適当なサイズに切断し、そこに各種情報を印字して発券するものが知られている。
このような発券機では、塵埃などが装置内部に侵入することでセンサの誤作動を引き起こすことや、用紙に印字するためのヘッドなどにインクやゴミが付着することによりチケットに印字した文字がかすれたりドット抜けが生じるという問題があった。そこで、このような問題を解消するために、発券機内部のクリーニングを行うクリーニングモードを備えた発券機が知られている。
【特許文献１】特開２００１−２２９４１１号公報
【発明の開示】
【発明が解決しようとする課題】
【０００３】
ところで、従来の発券機のクリーニングモードは、例えば、発券機ユニットを本体から引き出し、チケット出（入）口からクリーニングカードを挿入して、チケットの搬送路およびヘッドをクリーニングするものである。この従来の発券機は、設置場所などによっては、定期的にサーマルヘッドをクリーニング（以下、「ヘッドクリーニング」と呼ぶ。）しないとすぐにインクやゴミが蓄積され、印字する際にドット抜けが生じてしまう場合がある。
したがって、従来の発券機では、発券機ユニットを本体から引き出してヘッドクリーニングを行う必要があり、手間がかかるという問題がある。
また、発券機ユニットを本体から引き出すには発券機の背後に広いスペースが必要であり、部屋が狭い（奥行が短い）と発券機ユニットを完全に引き出せないという問題がある。
【０００４】
さらに、発券機ユニットを本体から引き出すと、発券機ユニットの奥行寸法が長く、その前面側からクリーニングカードを使用してヘッドクリーニングを行う際に、メンテナンス操作者の手が前面へ回しづらい（届かない）という問題がある。
そして、ロール紙を備え付け、それを各種チケットサイズに切断して発券する発券機では、ロール紙が常に搬送路上に位置しており、ヘッドクリーニングの際に、ロール紙を搬送路上から取り去り、クリーニングした後に再度ロール紙をもとの状態に戻す必要があり、手間がかかっていた。
【０００５】
そこで、本発明は、上記事情を鑑みてなされたものであり、クリーニングカードを使用したヘッドクリーニングにおいて、ヘッドクリーニングを実施する者の負担にならず、ヘッドクリーニングの作業性を向上することができる発券機を提供するものである。
【課題を解決するための手段】
【０００６】
上記の課題を解決するために、請求項１に記載した発明は、本体と、該本体からユニットの略全体を露出してメンテナンス作業可能な発券機ユニットと、を具備し、前記発券機ユニットは、該ユニット内に、券類製造用のロール紙が配されて該ロール紙を供給可能な用紙収納部と、前記券類の表面に情報を書き込む書込部と、前記券類が搬送される搬送路と、該搬送路上で前記券類を搬送する搬送手段と、前記搬送路上で前記ロール紙を切断して所定の長さ寸法を形成する切断部と、前記書込部をクリーニングする際に前記搬送路上に位置していた前記ロール紙をロール紙本体側へ案内するように前記搬送手段を制御する制御部と、を備え、少なくとも前記書込部をクリーニングするクリーニングカードを前記搬送路に供給するためのクリーニングカード出入口が、前記発券機ユニットの背面側に形成されていることを特徴としている。
ここで、「券類」の具体的態様としては、磁気方式によるもの（例えば、切符）などが挙げられる。
また、「メンテナンス作業」とは、サーマルヘッドのクリーニング作業以外の作業、例えば、部品の定期的な調整などをいう。また、「本体からユニットの略全体を露出して」とは、例えば、ユニットをスライドさせたり、回動させたりして本体から露出することをいう。
【０００７】
請求項１に係る発明によれば、発券機ユニットを引き出すことなくクリーニングカードを発券機ユニットの背面側に設けられたクリーニングカード出入口に挿入するだけで書込部のヘッドクリーニングを行うことができる。つまり、従来の発券機ユニットのヘッドクリーニングの際に、発券機ユニットの奥行寸法が長く、その前面側からヘッドクリーニングを行う際に、メンテナンス操作者の手が前面へ回しづらい（届かない）という問題があったが、それを解消することができ、ヘッドクリーニングの作業性を向上することができる効果がある。
また、搬送手段により、搬送路上に位置しているロール紙をヘッドクリーニングの際に制御部からの指示により自動的に搬送路上から取り去ることができるため、ヘッドクリーニングを実施する者の負担にならず、ヘッドクリーニングの作業性を向上することができる。
【０００８】
請求項２に記載した発明は、前記クリーニングカード出入口に、前記クリーニングカードを保持可能なクリーニングカード保持部が設けられていることを特徴としている。
請求項２に係る発明によれば、クリーニングカード保持部でクリーニングカードが保持されるため、クリーニングカードを一回のヘッドクリーニング毎に準備する必要がなくなる。したがって、ヘッドクリーニングを実施する者の負担にならず、ヘッドクリーニングの作業性を向上することができる。
【０００９】
請求項３に記載した発明は、前記制御部は、前記クリーニングカード保持部から前記搬送路へ案内された前記クリーニングカードを前記書込部に搬送し、該書込部のクリーニング完了後、前記クリーニングカードを前記クリーニングカード保持部へ戻すとともに、前記ロール紙を前記搬送路上に案内するように前記搬送手段を制御可能に構成されていることを特徴としている。
請求項３に係る発明によれば、制御部からの指示により、ヘッドクリーニングが完了した後に、クリーニングカードをクリーニングカード保持部へ戻すとともに、ロール紙をヘッドクリーニング前の状態に戻すことができる。したがって、手間をかけず、効率よくヘッドクリーニングをすることができる。
【００１０】
請求項４に記載した発明は、前記発券機ユニットにクリーニングを開始するクリーニング開始手段を備え、前記制御部は、前記クリーニング開始手段からの指示により前記搬送手段を駆動させて前記クリーニングカードを搬送し、少なくとも前記書込部をクリーニング可能に構成されていることを特徴としている。
請求項４に係る発明によれば、クリーニング開始手段を機能させるだけで、あとは制御部からの指示により自動的にヘッドクリーニングを行うことができる。つまり、容易に、かつ効率よくヘッドクリーニングを行うことができる。
【００１１】
請求項５に記載した発明は、前記制御部は、前記券類を所定枚数発券する毎、または所定時間経過毎に前記搬送手段を駆動させて前記クリーニングカードを搬送し、少なくとも前記書込部をクリーニング可能に構成されていることを特徴としている。
請求項５に係る発明によれば、クリーニングカードをクリーニングカード保持部に保持しておくだけで、あとは制御部からの指示により定期的にかつ自動的にヘッドクリーニングされるため、より容易に、かつ効率よくヘッドクリーニングを行うことができる。
【発明の効果】
【００１２】
本発明によれば、発券機ユニットを引き出すことなくクリーニングカードを発券機ユニットの背面側に設けられたクリーニングカード出入口に挿入するだけで書込部のヘッドクリーニングを行うことができるため、ヘッドクリーニングの作業性を向上することができる。また、搬送手段により、搬送路上に位置しているロール紙をヘッドクリーニングの際に制御部からの指示により自動的に搬送路上から取り去ることができるため、ヘッドクリーニングを実施する者の負担にならず、ヘッドクリーニングの作業性を向上することができる。
【発明を実施するための最良の形態】
【００１３】
次に、本発明の実施形態を図１〜図５に基づいて説明する。
図１、図２に示す発券機１は、切符サイズのチケットと定期券サイズのチケットを発券可能な駅務用発券機である。
【００１４】
発券機１は、発券機本体（本発明の「本体」に相当）と、この発券機本体に対して設けた精算ユニット７、操作ユニット９、および発券機ユニット１０と、を備えて構成されている。
【００１５】
精算ユニット７は、利用者がチケットを購入する際に、各種料金の投入・精算を行うためのものであって、乗車券購入代金を紙幣で支払う時に紙幣を投入する紙幣投入口７１と、乗車券購入代金を硬貨で支払う時に硬貨を投入する硬貨投入口７２と、乗車券等のカード出入口７３と、つり銭を排出するつり銭排出口７４と、つり札を排出するつり札排出口７５と、を備えて構成されている。
【００１６】
操作ユニット９は、チケット種別を指定するためのものであって、押しボタンが整列配置された乗車券選択ボタン９１を備えて構成されている。なお、乗車券選択ボタン９１は、押しボタン式ではなく、液晶ディスプレイを用いたタッチパネル式でもよい。
【００１７】
発券機ユニット１０は、実際のチケットを発券するためのものであって、発券機本体に支持部材を介して取り付けてあり、この支持部材を利用してユニット全体を収容する収容位置と、ユニットの略全体を略露出する位置との間でスライド移動可能に構成されている。また、本実施形態では、発券機ユニット１０の奥行寸法（発券機１の前後方向の寸法）は、メンテナンス操作者の腕の長さと略等しく構成している。
【００１８】
図３に示すように、ロール状の発券用用紙を収納する用紙収納部１１が発券機ユニット１０の下部に配置されている。本実施形態では、２種類のロール紙本体５１，５２を収納できるようになっている。例えば、第１ロール紙本体５１と第２ロール紙本体５２とで、色が異なるものやサイズの異なるものを備え付けられるようになっている。利用者が操作ユニット９で指定したチケット種別に応じて、いずれかのロール紙５１ａ，５２ａを切断して発券できるようになっている。また、ロール紙５１ａ，５２ａは、ローラ５３により搬送路１５へ案内されるように構成されている。なお、第１ロール紙５１ａまたは第２ロール紙５２ａのいずれを使用するかに応じて、図示しないロール紙切替部において、搬送路１５へ送られるロール紙の種類が選択されるように構成されている。ロール紙切替部は、例えば、図３におけるローラ５３ａ近傍、つまり、第１ロール紙５１ａと第２ロール紙５２ａとが合流する直後の位置に設けられている。
【００１９】
そして、ロール紙本体５１，５２から繰り出されてきたロール紙５１ａ，５２ｓを搬送するための搬送路１５が発券機１の前後方向に沿って設けられており、チケットは、搬送路１５に対して適宜配置されたローラ１３により搬送されるように構成されている。また、搬送路１５における正面側の端部１５ａは、カード出入口７３に連接されている。さらに、搬送路１５における背面側の端部１５ｂは、発券機ユニット１０の背面１０ａに形成されたクリーニングカードＣを挿入／排出可能なクリーニングカード出入口１７に連接されている。なお、クリーニングカードＣは、その表面にアルコールが染み込まれている湿式のクリーニングカードである。
【００２０】
ここで、クリーニングカード出入口１７には、クリーニングカード保持部４１が設けられている。クリーニングカード保持部４１は、クリーニングカードＣを挟持するとともに、ヘッドクリーニングをする際にはクリーニングカードＣを搬送路１５へと搬送することができるローラ４３と、ローラ４３が収容されている筐体４５と、を備えている。ローラ４３は後述する制御部３８の指示により回転駆動するように構成されている。また、筐体４５はヘッドクリーニングが完了して戻ってきたクリーニングカードＣに付着したインクやゴミなどが発券機ユニット１０内へ落ちないように、少なくとも底部が覆われるように形成されている。さらに、筐体４５の背面１０ａ側は、クリーニングカードＣの出し入れをするために開口４７が形成されている。なお、筐体４５の背面１０ａ側は、開口４７の周囲に壁部を設けないようにしてもよい。
【００２１】
また、ローラ４３の表面４３ａは、アルコールを含ませることができるように例えばスポンジ素材で形成されている。表面４３ａにアルコールを含ませた状態でローラ４３を駆動してクリーニングカードＣを移動させると、クリーニングカードＣの表面にアルコールを染み込ませることができるようになっている。
なお、クリーニングカードＣにアルコールを染み込ませる方法は、上述した方法以外にも、例えばアルコールをスプレーのように吹き付けるアルコール噴射装置を設けるようにしてもよい。
【００２２】
また、搬送路１５上には、サーマルヘッド（ヘッド部２１ａ）を有し、各種情報をチケットの表面に書き込みするための書込部２１と、カッターを有し、ロール紙５１ａ，５２ａを所望のサイズに切断するための切断部２３と、が設けられている。さらに、チケットに各種情報を磁気記録するエンコード部２５が設けられている。そして、切断部２３とクリーニングカード保持部４１との間において、搬送路１５が一部途切れており、その途切れた箇所１５ｃからロール紙５１ａ，５２ａが案内されて搬送路１５上へと導かれるように構成されている。なお、搬送路１５の途切れた箇所１５ｃは、ロール紙５１ａ，５２ａが通過可能な大きさがあればよく、わずかな隙間であるため、クリーニングカードＣがその上を通過する際には問題にならない。
【００２３】
そして、クリーニングカード出入口１７から挿入されたクリーニングカードＣが搬送路１５内を往復可能に構成され、このクリーニングカードＣが通過することにより書込部２１や搬送路１５などに付着したインクなどを除去することができるように構成されている。
【００２４】
さらに、発券機ユニット１０には、チケット用用紙が書込部２１にあるか否かを検出する書込フォトセンサ３１，３２と、チケットが搬送されたか否かを検出するための搬送確認フォトセンサ３３と、切断部２３にロール紙５１ａ，５２ａが存在するか否かを検出するための切断フォトセンサ３４，３５などのセンサ類が適宜搬送路１５上の必要箇所に配置されている。なお、書込フォトセンサは書込部２１の前後にそれぞれ設けられており、手前側（カード出入口７３側）を書込フォトセンサ３１とし、奥側（クリーニングカード出入口１７側）を書込フォトセンサ３２とする。同様に、切断フォトセンサは切断部２３の前後にそれぞれ設けられており、手前側を切断フォトセンサ３４とし、奥側を切断フォトセンサ３５とする。
【００２５】
図４に示すように、発券機ユニット１０の背面１０ａには、駅務員あるいはメンテナンス作業者が各種操作を行うための操作部３７が設けられている。さらに、発券機ユニット１０には、発券機ユニット１０全体の制御を行う制御回路が形成されている制御部３８と、発券機ユニット１０に電源を供給するための電源部３９と、が備えられている（図２参照）。
【００２６】
図５に示すように、各種フォトセンサ３１〜３５の信号および操作部３７からの信号が制御部３８に入力されることで、制御部３８からローラ１３，４３，５３、書込部２１、切断部２３およびエンコード部２５などへ指示がなされ、ローラ１３，４３，５３の回転方向や回転量などが制御され、また、書込部２１、切断部２３およびエンコード部２５が適宜駆動するように構成されている。
そして、このように構成された発券機ユニット１０は、メンテナンスなどのために背面１０ａ側に引き出し可能に構成されている。
【００２７】
（チケットの発券方法）
次に、発券機１におけるチケットの発券方法について説明する。
発券機１でチケットを購入するときは、使用者が紙幣投入口７１および硬貨投入口７２に貨幣を投入する。必要な貨幣を投入した後、乗車券選択ボタン９１で購入したいチケットの種別を選択する。
【００２８】
チケット種別が選択されると、制御部３８からの指示により第１ロール紙本体５１または第２ロール紙本体５２のいずれかのローラ５３が駆動し、第１ロール紙５１ａまたは第２ロール紙５２ａのいずれかが搬送路１５上へと案内される。案内されたロール紙の先端が切断部２３の切断フォトセンサ３４で検知されると、ロール紙が配置されたと認識して、切断部２３のカッターが駆動してロール紙を所望のサイズに切断する。
【００２９】
切断されたロール紙（チケット）は、その後、制御部３８からの指示でローラ１３が回転駆動することで搬送路１５上を移動して書込部２１に案内され、書込部２１の書込フォトセンサ３１でチケットの先端を検知すると、チケットが配置されたと認識して、書込部２１が駆動し、各種情報をチケットの表面に印字する。
【００３０】
表面に各種情報が印字されたチケットはさらに搬送路１５上を移動してエンコード部２５に搬送されて、必要な情報が磁気記録される。そして、磁気記録されたチケットは、搬送路１５からカード出入口７３へと案内されて発券される。そして、搬送確認フォトセンサ３３でチケットが通過したことを検知すると一連の発券作業が完了する。なお、先に投入した貨幣におつりがある場合には、チケットが発券されるのと略同時につり銭排出口７４およびつり札排出口７５からおつりが排出される。
【００３１】
（クリーニング方法）
次に、発券機ユニット１０におけるクリーニング方法について説明する。
このクリーニング処理は、駅務員が任意で行うものであり、発券機１の管理業者が定期的に行うクリーニング処理とは異なる。
【００３２】
具体的には、上述の書込部２１はサーマルヘッドを有しており、チケットの表面に各種情報を書き込めるようになっている。したがって、ヘッド部２１ａなどにインクやゴミなどが付着するようになり、定期的にメンテナンスをしないと付着したインクやゴミにより印字障害（文字かすれ、ドット抜けなど）が発生する場合がある。ゴミなどが多くある場所に設置した場合には、この印字障害を発生させないために少なくとも１日に１回はヘッドクリーニングする必要があり、その都度管理業者を呼んでヘッドクリーニングを依頼することは困難であることから、駅務員が行う必要がある。
【００３３】
駅務員は、発券機ユニット１０の背面１０ａ側に設けられたクリーニングカード出入口１７のクリーニングカード保持部４１にクリーニングカードＣを差し込むように挿入する。このとき、クリーニングカード保持部４１のローラ４３の表面４３ａには、アルコールを染み込ませておく。
【００３４】
そして、例えば、操作部３７に設けられたヘッドクリーニング用のボタン（クリーニング開始手段）を押すと、その信号を制御部３８で受信し、制御部３８からの信号によりローラ４３が駆動して、クリーニングカードＣが搬送路１５へと案内される。このとき、ローラ４３の表面４３ａにはアルコールが含まれているため、表面４３ａと接触しながら移動するクリーニングカードＣの表面にアルコールが染み込む。なお、操作部３７のボタンを押すことで、発券機１を使用中止に切り替えるようにしてもよい。
【００３５】
また、ローラ４３が駆動すると略同時に、制御部３８からの指示によりローラ５３がロール紙５１ａ，５２ａを搬送路１５へと案内する方向とは逆方向に回転駆動する。そして、ローラ５３が逆方向に回転駆動して、搬送路１５上に位置しているロール紙５１ａまたはロール紙５２ａを搬送路１５上から取り去るようにする。
【００３６】
その後、クリーニングカード出入口１７から挿入されたクリーニングカードＣは制御部３８の指示により搬送路１５に沿って搬送され、書込部２１まで搬送される。このとき、書込フォトセンサ３２上をクリーニングカードＣが通過すると、書込部２１にクリーニングカードＣが配置されたと認識し、書込部２１が駆動してクリーニングカードＣとヘッド部２１ａとが接触することで書込部２１のヘッドクリーニングが行われる。
【００３７】
書込部２１のヘッドクリーニングが完了したら、ローラ１３が回転して、クリーニングカードＣは再びクリーニングカード保持部４１に戻り、ローラ４３で挟持されるように保持される。なお、クリーニングカードＣをカード出入口７３の近傍まで搬送して搬送路１５やエンコード部２５をクリーニングするように構成してもよい。さらに、切断部２３をクリーニングするように構成してもよい。
また、クリーニングカードＣがクリーニングカード保持部４１に戻るのと略同時に、ローラ５３が駆動して搬送路１５上から取り去られていたロール紙５１ａまたはロール紙５２ａを再び搬送路１５上へと案内して配置する。
【００３８】
従来の発券機１で上述したクリーニングを行うには、発券機１の発券機ユニット１０（例えば、図２における破線部）を背面１０ａ側に引き出した後、カード出入口７３側からクリーニングカードＣを挿入してクリーニングを行っていた。
【００３９】
一方、本実施形態では、発券機ユニット１０の背面１０ａ側にクリーニングカード出入口１７を設け、さらにクリーニングカード保持部４１を設けたため、発券機ユニット１０を引き出すことなくヘッドクリーニングを行うことができる。したがって、ヘッドクリーニングを行っている最中は、発券機１を使用中止にしなければならないところ、その使用中止時間を短縮することができる。また、クリーニングカードＣをクリーニングカード出入口１７のクリーニングカード保持部４１に保持させて、操作部３７のボタンを押すだけで自動的にヘッドクリーニングが行えるため、発券機１の内部構造を熟知していない駅務員にも容易にヘッドクリーニングを実行することができる。さらに、発券機ユニット１０の背面１０ａ側にクリーニングカード出入口１７を設けたため、クリーニングカード出入口１７が駅務員室に面するように配置され、手間をかけず効率よくヘッドクリーニングを行うことができる。また、発券機ユニット１０を引き出す際に、発券機ユニット１０の重量を支えるための支持部材が設けられているが、ヘッドクリーニングの際に発券機ユニット１０を引き出す必要がなくなるため、支持部材の耐用性が向上し、メンテナンス費の低減を図れる。
【００４０】
また、ヘッドクリーニングの際に発券機ユニット１０を発券機１から引き出す必要がなくなるため、発券機１の背後に広いスペースが必要なくなり、発券機１の背後の駅務員室が狭くても（奥行が短くても）、確実にヘッドクリーニングを実施することができる。
また、従来の発券機ユニットのヘッドクリーニングの際に、発券機ユニットの奥行寸法が長く、その前面側からヘッドクリーニングを行う際に、メンテナンス操作者の手が前面へ回しづらい（届かない）という問題があったが、それを解消することができ、ヘッドクリーニングの作業性を向上することができる。
【００４１】
さらに、搬送路１５上の切断部２３でロール紙５１ａまたはロール紙５２ａをチケットの大きさに切断するように構成するとともに、書込部２１をヘッドクリーニングする際に搬送路１５上に位置していたロール紙５１ａまたは５２ａをロール紙本体５１または５２側へ案内するように構成した。したがって、ロール紙５１ａまたは５２ａをヘッドクリーニングの際に搬送路１５上から取り去ることができるため、ヘッドクリーニングを実施する者の負担にならず、ヘッドクリーニングの作業性を向上することができる。
【００４２】
さらにまた、書込部２１のヘッドクリーニング完了後、クリーニングカードＣをクリーニングカード保持部４１へ戻すとともに、ロール紙５１ａまたは５２ａを搬送路１５上に案内するように構成したため、自動的にヘッドクリーニング前の状態に戻すことができ、手間をかけず、効率よくヘッドクリーニングをすることができる。
【００４３】
尚、本発明の技術範囲は、上述した実施形態に限定されるものではなく、本発明の趣旨を逸脱しない範囲において、上述した実施形態に種々の変更を加えたものを含む。すなわち、実施形態で挙げた具体的な材料や構成等は一例にすぎず、適宜変更が可能である。
例えば、本実施形態ではクリーニングカード保持部を設けた場合の説明をしたが、図６に示すように、クリーニングカード保持部を設けず、クリーニングカードを挿入可能なクリーニングカード出入口のみ設け、駅務員などがクリーニングカードをクリーニングカード出入口から挿入することでヘッドクリーニングが実施できるようにしてもよい。
【００４４】
また、本実施形態において、新規のＩＣカードの発券機能を有していない発券機を用いて説明したが、ＩＣカードの新規発券機能を備え、併用可能な発券機に適用しても良い。
また、本実施形態において、搬送路は略水平な直線状に形成された場合で説明したが、ＩＣカードやクリーニングカードが適正に搬送できるのであれば、搬送路は水平でなく傾斜していてもよいし、直線状でなく蛇行していてもよい。
【００４５】
また、本実施形態において、搬送手段としてローラを用いた場合の説明をしたが、ベルトコンベア方式にて搬送するようにしてもよい。
さらに、本実施形態において、クリーニングカードを発券機ユニットの裏面側から挿入できるようにしたが、従来からある発券機ユニットの正面側（カード出入口側）から挿入できる構成を残し、双方向からクリーニングできるようにしてもよい。
そして、本実施形態において、クリーニングモードにする際に操作部のボタンを押すようにした場合の説明をしたが、ボタンを押さずに発券機が所定枚数発券する毎、または所定時間毎にクリーニングカード保持部のローラを駆動させて、自動的にクリーニングするようにしてもよい。このように構成することで、クリーニングカードをクリーニングカード保持部に保持しておくだけで、定期的にかつ自動的にヘッドクリーニングされるため、さらに容易に、かつ効率よくヘッドクリーニングを行うことができる。
【図面の簡単な説明】
【００４６】
【図１】本発明の実施形態における発券機の正面図である。
【図２】本発明の実施形態における発券機ユニットの側面図である。
【図３】本発明の実施形態における発券機ユニットの概略構成図である。
【図４】本発明の実施形態における発券機ユニットの背面図である。
【図５】本発明の実施形態における発券機ユニットのブロック図である。
【図６】本発明の実施形態における発券機ユニットの別の態様を示す概略構成図である。
【符号の説明】
【００４７】
１…発券機  １０…発券機ユニット  １０ａ…背面  １１…用紙収納部  １３…ローラ（搬送手段）  １５…搬送路  １７…クリーニングカード出入口  ２１…書込部  ２３…切断部  ３７…操作部（クリーニング開始手段）  ３８…制御部  ４１…クリーニングカード保持部  Ｃ…クリーニングカード
【図１】
2009237908.tif 000003
【図２】
2009237908.tif 000004
【図３】
2009237908.tif 000005
【図４】
2009237908.tif 000006
【図５】
2009237908.tif 000007
【図６】
2009237908.tif 000008